(57)【特許請求の範囲】
【請求項１】
オフィス内またはネットワーク上に設置された構内交換機であって、
利用者側移動端末の位置を表す情報を基に算出した当該利用者側移動端末に関する移動速度の情報と、当該利用者側移動端末の位置を表す情報を位置情報として格納する位置情報記憶部と、
発信者側通信端末からの発呼に対する当該構内交換機の動作を自動設定するための設定条件として、当該利用者側移動端末の当該位置情報、当該移動速度、当該発呼に対する応答を行う日時の情報、及び当該発信者側通信端末の発信者番号を条件要素とし、該条件要素の組合せに優先順位を設けて対応する設定動作を定義した設定条件テーブルを格納する設定条件記憶部と、
当該発信者側通信端末からの発呼時、又は、定期的に、前記位置情報記憶部に格納される位置情報と、前記設定条件記憶部に格納される設定条件テーブルの設定条件を当該優先順位にしたがって比較し、合致する設定条件に対応する設定動作で当該発信者側通信端末からの発呼に対する動作を判断して自動設定する設定条件判断部と、
当該発信者側通信端末からの発呼時、又は、定期的に、当該利用者側移動端末の利用者に関するスケジュール情報を取得して、該日時の情報を決定するスケジュール情報取得部と、
を備えることを特徴とする、構内交換機。
【請求項２】
当該発信者側通信端末からの発呼時、又は、定期的に、前記利用者側移動端末から前記利用者側移動端末の位置を表す情報を取得するとともに、当該利用者側移動端末に関する移動速度を算出して、前記位置情報記憶部に格納するプレゼンス情報生成部をさらに備えることを特徴とする、請求項１に記載の構内交換機。
【請求項３】
前記位置情報は、前記利用者側移動端末の位置を表す緯度及び経度の情報と、前記移動速度の情報と、当該位置情報を前記位置情報記憶部に格納する際の日時の情報とを含むことを特徴とする、請求項１又は２に記載の構内交換機。
【請求項４】
前記スケジュール情報取得部は、
予定される日時の情報と、該日時の情報に対応する当該位置情報を決定し、前記設定条件テーブルにおける条件要素を自動更新する、請求項１〜３のいずれか一項に記載の構内交換機。
【請求項５】
前記条件要素の組合せについて優先順位を設けて対応するように定義された設定動作は、着信、音声自動応答、転送、留守番電話、及び着信拒否のうちの少なくとも１つ以上を含むことを特徴とする、請求項１〜４のいずれか一項に記載の構内交換機。
【請求項６】
オフィス内またはネットワーク上に設置された構内交換機の作動方法であって、該構内交換機は、制御部を備え、
前記制御部の処理は、
発信者側通信端末からの発呼時、又は、定期的に、利用者側移動端末の位置を表す情報を取得して、該情報を基に当該利用者側移動端末に関する移動速度を算出し、位置情報として位置情報記憶部に格納するステップと、
当該発信者側通信端末からの発呼に対する当該構内交換機の動作を自動設定するための設定条件として、当該利用者側移動端末の当該位置情報、当該移動速度、当該発呼に対する応答を行う日時の情報、及び当該発信者側通信端末の発信者番号を条件要素とし、該条件要素の組合せに優先順位を設けて対応する設定動作を定義した設定条件テーブルを設定条件記憶部に予め格納するステップと、
当該発信者側通信端末からの発呼時、又は、定期的に、前記位置情報記憶部に格納される位置情報と、前記設定条件記憶部に格納される設定条件テーブルの設定条件を当該優先順位にしたがって比較し、合致する設定条件に対応する設定動作で当該発信者側通信端末からの発呼に対する動作を判断して自動設定するステップと、
当該発信者側通信端末からの発呼時、又は、定期的に、当該利用者側移動端末の利用者に関するスケジュール情報を取得して、該日時の情報を決定するステップと、
を含むことを特徴とする、構内交換機の作動方法。
【請求項７】
前記制御部の処理は、当該発信者側通信端末からの発呼時、又は、定期的に、前記利用者側移動端末から前記利用者側移動端末の位置を表す情報を取得するとともに、当該利用者側移動端末に関する移動速度を算出して、前記位置情報記憶部に格納するステップをさらに含むことを特徴とする、請求項６に記載の構内交換機の作動方法。
【請求項８】
前記位置情報は、前記利用者側移動端末の位置を表す緯度及び経度の情報と、前記移動速度の情報と、当該位置情報を前記位置情報記憶部に格納する際の日時の情報とを含むことを特徴とする、請求項６又は７に記載の構内交換機の作動方法。
【請求項９】
前記制御部の処理は、予定される日時の情報と、該日時の情報に対応する当該位置情報を決定し、前記設定条件テーブルにおける条件要素を自動更新するステップをさらに含むことを特徴とする、請求項６〜８のいずれか一項に記載の構内交換機の作動方法。
【請求項１０】
前記条件要素の組合せについて優先順位を設けて対応するように定義された設定動作は、着信、音声自動応答、転送、留守番電話、及び着信拒否のうちの少なくとも１つ以上を含むことを特徴とする、請求項６〜９のいずれか一項に記載の構内交換機の作動方法。
【発明の詳細な説明】
【技術分野】
【０００１】
本発明は、オフィス内またはネットワーク上に設置された構内交換機（「ＰＢＸ（Private Branch exchange）」とも称される）に関し、特に、着信や転送等の自動設定機能付きの構内交換機及びその作動方法に関する。
【背景技術】
【０００２】
ＰＢＸの設定を自動化するシステムについては、ＰＢＸに付属する装置（例えば、通信端末）の状態（動作しているか否か、利用者がログオンしているか否かなど）を基に、この装置が動作していなければ転送設定し、この装置が動作していれば転送解除等を行うことを実現する技術が知られている（例えば、特許文献１参照）。
【０００３】
しかしながら、特許文献１の技術は、通信端末などの装置の利用者による明示的な電源オンオフやログイン等の操作に基づいて、ＰＢＸの動作決定を行う技術であるために、当該利用者の状況を自動で判断することができない。
【先行技術文献】
【特許文献】
【０００４】
【特許文献１】特開２００９−３０２６８０号公報
【発明の概要】
【発明が解決しようとする課題】
【０００５】
上述のごとく、特許文献１の技術では、通信端末などの装置の利用者による明示的な電源オンオフやログイン等の操作に基づいて、ＰＢＸの動作決定を行う技術であるために、当該利用者の状況を自動で判断することができない。
【０００６】
一方、通信端末などの装置の利用者による明示的な電源オンオフやログイン等の操作だけでなく、利用者の現在位置や予定位置（緯度、経度）、利用者が移動中の場合の移動速度、利用者が通話制限等の設定を行う発信者番号の情報などの利用者の現在状況や予定状況に応じて自動的にＰＢＸを設定し、発呼に対する応答動作（着信、転送、自動応答、留守電等）を適応的に行うことが要望されている。
【０００７】
そこで、本発明の目的は、オフィス内またはネットワーク上に設置された、着信や転送等の自動設定機能付き構内交換機及びその作動方法を提供することにある。
【課題を解決するための手段】
【０００８】
上記課題を解決するため、本発明の自動設定機能付き構内交換機は、オフィス内またはネットワーク上に設置された構内交換機であって、利用者側移動端末の位置を表す情報を基に算出した当該利用者側移動端末に関する移動速度の情報と、当該利用者側移動端末の位置を表す情報を位置情報として格納する位置情報記憶部と、発信者側通信端末からの発呼に対する当該構内交換機の動作を自動設定するための設定条件として、当該利用者側移動端末の当該位置情報、当該移動速度、当該発呼に対する応答を行う日時の情報、及び当該発信者側通信端末の発信者番号を条件要素とし、該条件要素の組合せに優先順位を設けて対応する設定動作を定義した設定条件テーブルを格納する設定条件記憶部と、当該発信者側通信端末からの発呼時、又は、定期的に、前記位置情報記憶部に格納される位置情報と、前記設定条件記憶部に格納される設定条件テーブルの設定条件を当該優先順位にしたがって比較し、合致する設定条件に対応する設定動作で当該発信者側通信端末からの発呼に対する動作を判断して自動設定する設定条件判断部と、当該発信者側通信端末からの発呼時、又は、定期的に、当該利用者側移動端末の利用者に関するスケジュール情報を取得して、該日時の情報を決定するスケジュール情報取得部と、を備えることを特徴とする。
【０００９】
また、本発明の構内交換機において、当該発信者側通信端末からの発呼時、又は、定期的に、前記利用者側移動端末から前記利用者側移動端末の位置を表す情報を取得するとともに、当該利用者側移動端末に関する移動速度を算出して、前記位置情報記憶部に格納するプレゼンス情報生成部をさらに備えることを特徴とする。
【００１０】
また、本発明の構内交換機において、前記位置情報は、前記利用者側移動端末の位置を表す緯度及び経度の情報と、前記移動速度の情報と、当該位置情報を前記位置情報記憶部に格納する際の日時の情報とを含むことを特徴とする。
【００１１】
また、本発明の構内交換機において、前記スケジュール情報取得部は、さらに予定される日時の情報と、該日時の情報に対応する当該位置情報を決定し、前記設定条件テーブルにおける条件要素を自動更新することを特徴とする。
【００１２】
また、本発明の構内交換機において、前記条件要素の組合せについて優先順位を設けて対応するように定義された設定動作は、着信、音声自動応答、転送、留守番電話、及び着信拒否のうちの少なくとも１つ以上を含むことを特徴とする。
【００１３】
さらに、本発明の構内交換機の作動方法は、オフィス内またはネットワーク上に設置された構内交換機の作動方法であって、該構内交換機は、制御部を備え、前記制御部の処理は、発信者側通信端末からの発呼時、又は、定期的に、利用者側移動端末の位置を表す情報を取得して、該情報を基に当該利用者側移動端末に関する移動速度を算出し、位置情報として位置情報記憶部に格納するステップと、当該発信者側通信端末からの発呼に対する当該構内交換機の動作を自動設定するための設定条件として、当該利用者側移動端末の当該位置情報、当該移動速度、当該発呼に対する応答を行う日時の情報、及び当該発信者側通信端末の発信者番号を条件要素とし、該条件要素の組合せに優先順位を設けて対応する設定動作を定義した設定条件テーブルを設定条件記憶部に予め格納するステップと、当該発信者側通信端末からの発呼時、又は、定期的に、前記位置情報記憶部に格納される位置情報と、前記設定条件記憶部に格納される設定条件テーブルの設定条件を当該優先順位にしたがって比較し、合致する設定条件に対応する設定動作で当該発信者側通信端末からの発呼に対する動作を判断して自動設定するステップと、当該発信者側通信端末からの発呼時、又は、定期的に、当該利用者側移動端末の利用者に関するスケジュール情報を取得して、該日時の情報を決定するステップと、を含むことを特徴とする。
【００１４】
また、本発明の構内交換機の作動方法において、前記制御部の処理は、当該発信者側通信端末からの発呼時、又は、定期的に、前記利用者側移動端末から前記利用者側移動端末の位置を表す情報を取得するとともに、当該利用者側移動端末に関する移動速度を算出して、前記位置情報記憶部に格納するステップをさらに含むことを特徴とする。
【００１５】
また、本発明の構内交換機の作動方法において、前記位置情報は、前記利用者側移動端末の位置を表す緯度及び経度の情報と、前記移動速度の情報と、当該位置情報を前記位置情報記憶部に格納する際の日時の情報とを含むことを特徴とする。
【００１６】
また、本発明の構内交換機の作動方法において、前記制御部の処理は、予定される日時の情報と、該日時の情報に対応する当該位置情報を決定し、前記設定条件テーブルにおける条件要素を自動更新するステップをさらに含むことを特徴とする。
【００１７】
また、本発明の構内交換機の作動方法において、前記条件要素の組合せについて優先順位を設けて対応するように定義された設定動作は、着信、音声自動応答、転送、留守番電話、及び着信拒否のうちの少なくとも１つ以上を含むことを特徴とする。
【発明の効果】
【００１８】
本発明によれば、利用者の現在位置や予定位置（緯度、経度）、利用者が移動中の場合の移動速度、利用者が設定する現在日時や予定日時、利用者が通話制限等の設定を行う発信者番号の情報などの利用者の現在状況や予定状況に応じて自動的にＰＢＸを設定し、発呼に対するＰＢＸの動作（着信、転送、自動応答、留守電等）を適応的に行うことが可能となる。
【図面の簡単な説明】
【００１９】
【図１】本発明による自動設定機能付き構内交換機を備える構内交換システムの概略図である。
【図２】本発明による第１実施形態の自動設定機能付き構内交換機のブロック図である。
【図３】本発明による第１実施形態の自動設定機能付き構内交換機の動作フロー図である。
【図４】本発明による第２実施形態の自動設定機能付き構内交換機のブロック図である。
【図５】本発明による第２実施形態の自動設定機能付き構内交換機の動作フロー図である。
【図６】本発明による第１及び第２実施形態の自動設定機能付き構内交換機で用いる位置情報テーブルの例を示す図である。
【図７】本発明による第１及び第２実施形態の自動設定機能付き構内交換機で用いるスケジュールテーブルの例を示す図である。
【図８】本発明による第１及び第２実施形態の自動設定機能付き構内交換機で用いる設定条件テーブルの例を示す図である。
【発明を実施するための形態】
【００２０】
以下、図面を参照して、本発明による各実施形態の自動設定機能付き構内交換機を説明する。まず、本発明による第１実施形態の自動設定機能付き構内交換機を説明する。
【００２１】
（第１実施形態）
図１は、本発明による自動設定機能付き構内交換機を備える構内交換システムの概略図である。本発明による自動設定機能付き構内交換機２０は、オフィス内またはネットワーク上に設置され、利用者Ｕは、利用者側移動端末１１を操作して、自動設定機能付き構内交換機２０経由で外部と通信したり、外部からの発信者Ｃが利用する発信者側通信端末３０からの発信に対して応答したりする動作設定を行うことができる装置である。利用者側移動端末１１は、利用者Ｕが通常携帯することになるＧＰＳ機能付きの通信端末であれば如何なるものでもよい。スケジュール登録端末１２は、利用者Ｕが通常利用するスケジューラアプリケーションを搭載した端末であり、自動設定機能付き構内交換機２０は、スケジュール登録端末１２でスケジュール記憶部１２１に予め登録されているスケジュール情報を自動的に取得するべくネットワークを通じて接続される。
【００２２】
図２は、本発明による第１実施形態の自動設定機能付き構内交換機のブロック図である。構内交換機２０は、利用者側通信端末１１から、利用者の現在位置（緯度、経度）の情報を取得するための通信に用いる通信ＩＦ２０１と、スケジュール登録端末１２から、利用者の現在位置や予定位置（緯度、経度）、利用者が移動中の場合の移動速度、利用者に関する現在日時や予定日時、利用者が通話制限等の設定を行う発信者番号の情報などの利用者の現在状況や予定状況に応じた設定動作（着信、転送、自動応答、留守電等）を予め登録するための通信に用いる通信ＩＦ２０２と、制御部２０３と、交換部２０４と、位置情報記憶部２０５と、設定条件記憶部２０６と、電話番号記憶部２０７とを備える。
【００２３】
制御部２０３は、プレゼンス情報生成部２０３０と、設定条件生成部２０４０と、応答制御部２０５０とを備える。プレゼンス情報生成部２０３０は、移動端末位置情報取得部２０３１と、移動端末移動速度算出部２０３２と、位置情報生成部２０３３と、スケジュール情報取得部２０３４とを有する。応答制御部２０５０は、発呼受信部２０５１と、発信者番号照合部２０５２と、設定条件判断部２０５３と、動作指示部２０５４とを有する。
【００２４】
尚、本発明に係る制御部２０３の各機能を説明するが、自動設定機能付き構内交換機が備える他の機能を排除することを意図したものではないことに留意する。自動設定機能付き構内交換機２０は、コンピュータとして構成することができ、制御部２０３の各機能を実現する処理内容を記述したプログラムを、当該コンピュータの所定の記憶部（図示せず）に格納しておき、当該コンピュータの中央演算処理装置（ＣＰＵ）によってこのプログラムを読み出して実行させることで実現することができる。
【００２５】
移動端末位置情報取得部２０３１は、発呼を受け付けた後の設定条件判断部２０５３からの指示に応じて、利用者側移動端末１１から、移動端末位置情報（経度、緯度）を所定の時間間隔を空けて２回以上取得して移動端末移動速度算出部２０３２に送出する。
【００２６】
移動端末移動速度算出部２０３２は、２回以上取得した移動端末位置情報（経度、緯度）から、当該利用者側移動端末１１を所持する利用者Ｕの移動速度を算出し、当該２回以上取得した移動端末位置情報のうちの最新の位置（経度、緯度）及びその記録する日時の情報と、当該移動速度の情報を位置情報生成部２０３３に送出する。
【００２７】
位置情報生成部２０３３は、移動端末位置情報の最新の位置（経度、緯度）及びその記録する日時の情報と当該移動速度の情報を、位置情報テーブルとして位置情報記憶部２０５に格納する。尚、位置情報テーブルは、移動端末位置情報の最新の位置（経度、緯度）及びその記録する日時の情報を逐次更新するように格納すればよいが、取得履歴を残したい場合などでは、図６に示すように、最新の情報が最上位にくるように所定数分、順次格納すれば利便性が高くなる。
【００２８】
スケジュール情報取得部２０３４は、定期的（例えば１分ごと）に、スケジュール登録端末１２から、利用者Ｕが通常利用するスケジューラアプリケーションのスケジュール内容（図７に示す予定日時・予定時刻・場所（経度、緯度）の情報）を取得して、設定条件生成部２０４０に送出する。
【００２９】
設定条件生成部２０４０は、予め定めた優先順位で、利用者の現在位置や予定位置（緯度、経度）、利用者が移動中の場合の移動速度、利用者が設定する現在日時や予定日時、利用者が通話制限等の設定を行う発信者番号の情報などの利用者の現在状況や予定状況に応じた設定動作（着信、転送、自動応答、留守電等）を定義する設定条件テーブルについて、スケジュール情報取得部２０３４から定期的（例えば１分ごと）に取得した内容を基に更新し、設定条件記憶部２０６に格納する。尚、利用者Ｕは、スケジュール登録端末１２のスケジューラアプリケーションを操作して、予め定めた設定条件テーブル（図８参照）を登録しているものとし、この事前登録のために設定条件生成部２０４０を機能させるように構成することもできる。
【００３０】
発呼受信部２０５１は、交換部２０４から、発信者側通信端末３０からの発信についての問い合わせを発呼として受信し、当該発呼に係る発信者番号を発信者番号照合部２０５２に送出する。
【００３１】
発信者番号照合部２０５２は、当該発呼に係る発信者番号と、予め電話番号記憶部２０７に登録済み（例えば、スケジュール登録端末１２により登録）の発信者番号と照合し、合致していなければ着信非応答の旨を動作指示部２０５４経由で交換部２０４に指示し、登録済みの発信者番号と合致している場合に、当該発呼に係る発信者番号を設定条件判断部２０５３に送出する。尚、着信者番号が予め電話番号記憶部２０７に登録済みである場合に、着信に対する応答の判断を行う前に、発信者番号と着信者番号の双方の照合を行うように構成するのが好適である。
【００３２】
設定条件判断部２０５３は、当該発信者からの発呼を契機として、移動端末位置情報取得部２０３１に指示を与えて利用者側移動端末１１から利用者の状態を示すプレゼンス情報として、利用者の現在位置及び利用者が移動中の場合の移動速度を含む位置情報を位置情報テーブルとして位置情報記憶部２０５に記憶させ、続いて、位置情報記憶部２０５に記憶した位置情報テーブルにおける最新の移動端末位置情報を基に、設定条件記憶部２０６に格納されている設定条件テーブルを参照して予め定めた優先順位で合致する設定条件を探索して発呼に対する応答動作を決定し、決定した応答動作の情報を動作指示部２０５４に送出する。
【００３３】
動作指示部２０５４は、設定条件判断部２０５３によって決定した応答動作の指示を交換部２０４に指示する。これにより、交換部２０４は、当該発信者からの発呼を契機として、着信、転送、自動応答、留守電等の動作を実行する。尚、転送の場合には、動作指示部２０５４は、電話番号記憶部２０７に予め登録した転送先番号を参照するように構成すればよい。
【００３４】
位置情報記憶部２０５では、利用者の現在位置、移動速度、位置情報を記録又は更新する日時の情報を要素として保持する（図６参照）。また、設定条件記憶部２０６では、構内交換機２０を自動設定する条件として、利用者の位置情報、移動速度、発信者番号、応答する日時を条件要素に持ち、条件項目ごとに対応する動作設定が記録され、さらに、条件項目には設定優先度が設定される。条件項目は設定優先度順に上からソートされており、現在の利用者の状態と最初に合致した条件項目が、一番優先度が高いと判断し、当該条件項目で指定された動作を構内交換機２０へ自動設定する。
【００３５】
図３は、本発明による第１実施形態の自動設定機能付き構内交換機の動作フロー図である。先ず、利用者Ｕは、スケジュール登録端末１２を操作して、設定条件の情報を構内交換機２０に設定することにより、構内交換機２０は、設定条件の情報を記述した設定条件テーブルを生成して設定条件記憶部２０６に格納しておく（Ｓ１，Ｓ２）。
【００３６】
まず、構内交換機２０は、発信者Ｃが利用する発信者側通信端末３０から利用者Ｕが利用する利用者側移動端末１１に向けての発信を交換部２０４で受け付けると（Ｓ３）、交換部２０４は、応答制御部２０５０に対して当該発呼に対する動作設定の問い合わせを行う（Ｓ４）。尚、当該利用者Ｕが交換部２０４に対して直接、動作設定する構成も考えられ、このような場合は、交換部２０４は当該直接的な設定に従い動作するものとし、特に直接設定がない場合に、応答制御部２０５０に対して当該発呼に対する動作設定の問い合わせを行うように構成することができる。
【００３７】
次に、構内交換機２０の応答制御部２０５０は、当該発呼に係る発信者番号と、予め電話番号記憶部２０７に登録済みの発信者番号と照合し（Ｓ５）、合致していなければ着信非応答の旨を交換部２０４に指示し、登録済みの発信者番号と合致している場合に、移動端末位置情報の取得をプレゼンス情報生成部２０３０に指示する（Ｓ６）。
【００３８】
次に、構内交換機２０のプレゼンス情報生成部２０３０は、利用者側移動端末１１から移動端末位置情報を取得して、当該利用者側移動端末１１の移動速度を算出し（Ｓ７）、位置情報テーブルを生成して位置情報記憶部２０５に格納する（Ｓ８）。
【００３９】
次に、構内交換機２０の応答制御部２０５０は、位置情報記憶部２０５に格納される最新の位置情報を基に、設定条件記憶部２０６に格納されている設定条件テーブルを参照して指定される優先順位で合致する設定条件を判別し（Ｓ９）、発呼に対する応答動作を決定し、決定した応答動作について交換部２０４に指示する（Ｓ１０）。尚、構内交換機２０の応答制御部２０５０は、設定条件テーブルを参照して合致した設定条件が無いときは着信動作を指示するものとする。
【００４０】
つまり、構内交換機２０の応答制御部２０５０は、位置情報記憶部２０５から取得した位置情報、及び、交換部２０４から取得した発信者番号の情報を基に、設定条件記憶部２０６に格納される設定条件テーブルの条件要素を比較し、合致した条件要素があれば当該条件に定められた設定動作を交換部２０４へと指示する。このため、設定動作の指示を受け取った交換部２０４は、利用者側移動端末１１の位置に対して適応的に、且つ自動的に設定動作を実行する。
【００４１】
さらに、構内交換機２０のプレゼンス情報生成部２０３０は、移動端末位置情報の取得とは別に、スケジュール登録端末１２のスケジュール記憶部１２１に格納される当該発呼に係る日時に対応する予定日時の利用者スケジュール（日時とスケジュールタイトル）の情報を取得し、タイトルに地名が入っている場合はその地名を予め用意した変換テーブル（図示せず）を参照して緯度経度の情報に変換して保持し、これらの移動端末位置情報及び利用者スケジュールの情報を基に、設定条件記憶部２０６に格納されている設定条件テーブルを参照して指定される優先順位で合致する設定条件をＰＢＸ自動設定条件として判断するように構成することもできる。尚、設定条件テーブルを用いて位置情報の合致判断を行うときは、緯度経度の適用誤差を予め規定した「範囲の情報」を設けておくのが好適である（図８参照）。
【００４２】
これにより、利用者の現在位置や予定位置（緯度、経度）、利用者が移動中の場合の移動速度、利用者が設定する現在日時や予定日時、利用者が通話制限等の設定を行う発信者番号の情報などの利用者の現在状況や予定状況に応じて自動的にＰＢＸを設定し、発呼に対するＰＢＸの動作（着信、転送、自動応答、留守電等）を適応的に行うことが可能となる。
【００４３】
上記の第１実施形態は、発信者からの発信を交換部２０４が受け取ることを契機として動作する例を説明したが、定期的に設定条件判断部２０５３が位置情報記憶部２０５から取得した位置情報と設定条件記憶部２０６から得られる設定条件の情報を比較し、その結果として得られた設定動作で発信者番号の照合を付加した態様で交換部２０４を動作させるよう、動作設定の情報を定期的に登録しておき、交換部２０４は、発信者Ｃが利用する発信者側通信端末３０からの発信を受けた際に、交換部２０４自身で発信者番号を照合し、合致した場合は定期的に登録した設定動作で動作し、合致しない場合は着信動作をとる実施形態も考えられ、以下、第２実施形態として詳細に説明する。尚、同様な構成要素には同一の参照番号を付している。
【００４４】
（第２実施形態）
第２実施形態においても、図１に示す構内交換システムで利用することができる。図４は、本発明による第２実施形態の自動設定機能付き構内交換機のブロック図である。構内交換機２０は、利用者側通信端末１１から、利用者の現在位置（緯度、経度）の情報を取得するための通信に用いる通信ＩＦ２０１と、スケジュール登録端末１２から、利用者の現在位置や予定位置（緯度、経度）、利用者が移動中の場合の移動速度、利用者に関する現在日時や予定日時、利用者が通話制限等の設定を行う発信者番号の情報などの利用者の現在状況や予定状況に応じた設定動作（着信、転送、自動応答、留守電等）を予め登録するための通信に用いる通信ＩＦ２０２と、制御部２０３と、交換部２０４と、位置情報記憶部２０５と、設定条件記憶部２０６と、電話番号記憶部２０７と、動作設定記憶部２０８とを備える。
【００４５】
制御部２０３は、プレゼンス情報生成部２０３０と、設定条件生成部２０４０と、設定条件判断部２０６０とを備える。プレゼンス情報生成部２０３０は、移動端末位置情報取得部２０３１と、移動端末移動速度算出部２０３２と、位置情報生成部２０３３と、スケジュール情報取得部２０３４とを有する。
【００４６】
交換部２０４は、発信者番号照合部２０４１と、動作制御部２０４２とを備える。  
【００４７】
尚、本発明に係る制御部２０３の各機能を説明するが、自動設定機能付き構内交換機が備える他の機能を排除することを意図したものではないことに留意する。自動設定機能付き構内交換機は、コンピュータとして構成することができ、制御部２０３の各機能を実現する処理内容を記述したプログラムを、当該コンピュータの所定の記憶部（図示せず）に格納しておき、当該コンピュータの中央演算処理装置（ＣＰＵ）によってこのプログラムを読み出して実行させることで実現することができる。
【００４８】
尚、第２実施形態は、第１実施形態と比較するに、発呼に対する問い合わせに応じて逐次制御する応答制御部２０５０を有していない代わりに、定期的（例えば、１分ごとに）に、取得した位置情報と事前登録した設定条件とを判断して決定した動作設定を動作設定記憶部２０８に記憶する設定条件判断部２０６０が設けられている点と、交換部２０４自身が、発信者番号の照合を行う発信者番号照合部２０４１と、照合済みの発信者番号に対応する設定動作を動作設定記憶部２０８の設定条件テーブルから読み込んで、利用者の現在状況や予定状況に応じた設定動作（着信、転送、自動応答、留守電等）を行うよう制御する動作制御部２０４２とを備える点で相違する。
【００４９】
移動端末位置情報取得部２０３１は、定期的に（例えば１分ごとに）、利用者側移動端末１１から、移動端末位置情報（経度、緯度）を所定の時間間隔を空けて２回以上取得して移動端末移動速度算出部２０３２に送出する。
【００５０】
移動端末移動速度算出部２０３２は、２回以上取得した移動端末位置情報（経度、緯度）から、当該移動端末を所持する利用者Ｕの移動速度を算出し、当該２回以上取得した移動端末位置情報のうちの最新の位置（経度、緯度）及び日時の情報と、当該移動速度の情報を位置情報生成部２０３３に送出する。
【００５１】
位置情報生成部２０３３は、移動端末位置情報の最新の位置（経度、緯度）及びその記録する日時の情報と当該移動速度の情報を、位置情報テーブルとして位置情報記憶部２０５に格納する。尚、位置情報テーブルは、移動端末位置情報の最新の位置（経度、緯度）及びその記録する日時の情報と当該移動速度の情報について、取得した位置情報を逐次更新するように格納すればよいが、取得履歴を残したい場合などでは、図６に示すように、最新の情報が最上位にくるように順次格納すれば利便性が高くなる。
【００５２】
スケジュール情報取得部２０３４は、定期的（例えば１分ごと）に、スケジュール登録端末１２から、利用者Ｕが通常利用するスケジューラアプリケーションのスケジュール内容（図７に示す予定日時・予定時刻・場所（経度、緯度）の情報）を取得して、設定条件生成部２０４０に送出する。ここで、場所の情報は、経度及び緯度に変換できる情報であればよく、スケジュール情報取得部２０３４が、場所の情報を取得して経度及び緯度の情報に変換した後、設定条件生成部２０４０に送出するように構成することができる。
【００５３】
設定条件生成部２０４０は、予め定めた優先順位で、利用者の現在位置や予定位置（緯度、経度）、利用者が移動中の場合の移動速度、利用者が設定する現在日時や予定日時、利用者が通話制限等の設定を行う発信者番号の情報などの利用者の現在状況や予定状況に応じた設定動作（着信、転送、自動応答、留守電等）を設定条件として予め定めた条件要素の内容を、スケジュール情報取得部２０３４から定期的（例えば１分ごと）に取得した内容を基に更新し、設定条件テーブルとして、設定条件記憶部２０６に格納する。尚、利用者Ｕは、スケジュール登録端末１２のスケジューラアプリケーションを操作して、予め定めた設定条件テーブル（図８参照）を登録しているものとする。
【００５４】
設定条件判断部２０６０は、定期的（例えば、１分単位）に取得して位置情報記憶部２０５に格納された位置情報と、設定条件記憶部２０６に格納された設定条件を比較して決定した動作設定を逐次更新して動作設定記憶部２０８に記憶する。
【００５５】
発信者番号照合部２０４１は、当該発呼に係る発信者番号と、予め電話番号記憶部２０７に登録済み（例えば、スケジュール登録端末１２により登録）の発信者番号と照合し、合致していなければ着信非応答の旨を動作指示部２０４２経由で交換部２０４を制御し、登録済みの発信者番号と合致している場合に、その旨を動作指示部２０４２に送出し、動作指示部２０４２に対して動作設定記憶部２０８に記憶した動作設定に応じた動作を行わせる。
【００５６】
動作指示部２０５４は、設定条件判断部２０５３によって決定した応答動作の指示を交換部２０４に指示することにより、交換部２０４は、当該発信者からの発呼に対して、発呼の都度、位置情報を取得したり設定条件を判断したりすることなく、着信、転送、自動応答、留守電等の動作を実行する。
【００５７】
これにより、交換部２０４自身が、発信者番号照合部２０４１により発信者番号の照合を行ない、動作制御部２０４２により照合済みの発信者番号に対応する設定動作を動作設定記憶部２０８から読み込んで、利用者の現在状況や予定状況に応じた設定動作（着信、転送、自動応答、留守電等）を行うよう制御することができる。
【００５８】
図５は、本発明による第２実施形態の自動設定機能付き構内交換機の動作フロー図である。先ず、利用者Ｕは、スケジュール登録端末１２を操作して、設定条件の情報を構内交換機２０に設定することにより、構内交換機２０は、設定条件の情報を記述した設定条件テーブルを生成して設定条件記憶部２０６に格納しておく（Ｓ２１，Ｓ２２）。
【００５９】
さらに、構内交換機２０は、利用者側移動端末１１から移動端末位置情報を定期的（例えば、１分単位）に取得し（Ｓ２３）、当該利用者側移動端末１１の移動速度を算出し（Ｓ２４）、位置情報テーブルを生成して位置情報記憶部２０５に格納する（Ｓ２５）。
【００６０】
ここで、構内交換機２０の設定条件判断部２０６０は、定期的（例えば、１分単位）に取得して位置情報記憶部２０５に格納された位置情報と、設定条件記憶部２０６に格納された設定条件を比較して決定した動作設定を逐次更新して動作設定記憶部２０８に記憶する。
【００６１】
例えば、構内交換機２０の設定条件判断部２０６０は、位置情報記憶部２０５に格納される最新の位置情報を基に、設定条件記憶部２０６に格納されている設定条件テーブルを参照して指定される優先順位で合致する設定条件をＰＢＸ自動設定条件として判断し、発呼に対する応答動作を決定し、決定した応答動作を発信者番号に対応付けて動作設定記憶部２０４に格納する。尚、構内交換機２０の設定条件判断部２０６０は、設定条件テーブルを参照して合致した条件が無いときは着信動作を指示するものとする。
【００６２】
構内交換機２０の交換部２０４は、発信者Ｃが利用する発信者側通信端末３０から利用者Ｕが利用する利用者側移動端末１１に向けての発信がある場合（Ｓ２６）、交換部２０４は、当該発呼に係る発信者番号と、予め電話番号記憶部２０７に登録済みの発信者番号と照合し（Ｓ２７）、合致していなければ着信非応答の動作を行い、登録済みの発信者番号と合致している場合に、動作設定記憶部２０８に格納される動作設定に従う動作を行う（Ｓ２８）。尚、当該利用者Ｕが交換部２０４に対して直接、動作設定する構成も考えられ、このような場合は、交換部２０４は当該直接的な設定に従い動作するものとし、特に直接設定がない場合に、動作設定記憶部２０８に格納される動作設定に従う動作を行うように構成することができる。
【００６３】
また、構内交換機２０は、構内交換機２０のプレゼンス情報生成部２０３０は、移動端末位置情報の取得とは別に、スケジュール登録端末１２のスケジュール記憶部１２１に格納される当該発呼に係る日時に対応する予定日時の利用者スケジュール（日時とスケジュールタイトル）の情報を取得し、タイトルに地名が入っている場合はその地名を予め用意した変換テーブルを参照して緯度経度の情報に変換して保持し、これらの移動端末位置情報及び利用者スケジュールの情報を基に、設定条件記憶部２０６に格納されている設定条件テーブルを参照して指定される優先順位で合致する設定条件をＰＢＸ自動設定条件として判断するように構成することもできる。
【００６４】
上述した第１実施形態及び第２実施形態のいずれの設定動作においても、利用者側移動端末１１に対して設定動作が実施または更新された旨を通知することができる。第１実施形態の着信契機で問い合わせを行う態様の場合、構内交換機２０は、利用者に着信があった旨、及び、これから動作する設定内容を通知するように構成することもできる。
【００６５】
さらに、第１実施形態及び第２実施形態のいずれの設定動作においても、一定時間内に利用者が通話を選択すれば設定動作は行われず着信動作となり、利用者が何も操作をしなければ設定動作に従い構内交換機２０が動作するように構成することもでき、さらに、設定動作実行後、利用者側移動端末１１に対して動作結果の通知を例えばメールで通知することも可能である。例えば、第２実施形態のように、動作設定を予め保持する場合、動作設定内容が更新されるたびに、利用者側移動端末１１に対して動作設定内容が変更された旨を例えばメールで通知するように構成することができる。
【００６６】
したがって、包括的には、本発明に係る構内交換機２０は、利用者側移動端末１１の位置を表す情報を基に算出した当該利用者側移動端末１１に関する移動速度の情報と、当該利用者側移動端末１１の位置を表す情報を位置情報（図６参照）として格納する位置情報記憶部２０５と、発信者側通信端末３０からの発呼に対する当該構内交換機２０の動作を自動設定するための設定条件として、当該利用者側移動端末１１の当該位置情報、当該移動速度、当該発呼に対する応答を行う日時の情報、及び当該発信者側通信端末の発信者番号を条件要素とし、該条件要素の組合せに優先順位を設けて対応する設定動作を定義した設定条件テーブル（図８参照）を格納する設定条件記憶部２０６と、当該発信者側通信端末３０からの発呼時、又は、定期的に、位置情報記憶部２０５に格納される位置情報と、設定条件記憶部２０６に格納される設定条件テーブルの設定条件を当該優先順位にしたがって比較し、合致する設定条件に対応する設定動作で当該発信者側通信端末３０からの発呼に対する動作を判断して自動設定する設定条件判断部２０５３，２０６０とを備える。ここで、設定条件テーブルの事前登録に関して、上述の実施形態では説明の便宜のためにスケジュール登録端末１２を経由して登録する例を説明したが、利用者側移動端末１１を経由して登録するように構成してもよい。
【００６７】
プレゼンス情報生成部２０３０は、当該発信者側通信端末３０からの発呼時、又は、定期的に、利用者側移動端末１１から前記利用者側移動端末１１の位置を表す情報を取得するとともに、当該利用者側移動端末１１に関する移動速度を算出して、位置情報記憶部２０５に格納する。
【００６８】
図６に示すように、位置情報は、利用者側移動端末１１の位置を表す緯度及び経度の情報と、移動速度の情報と、当該位置情報を位置情報記憶部２０５に格納する際の日時の情報とを含む。これにより、設定条件テーブルにおける日時情報に合致する日時の緯度及び経度の情報及び移動速度の情報の判別が容易になる。
【００６９】
また、スケジュール情報取得部２０３４は、例えば、図７に示すように、当該発信者側通信端末３０からの発呼時、又は、定期的に、利用者側移動端末１１の利用者に関するスケジュール情報を取得して、予定される日時の情報と、該日時の情報に対応する当該位置情報を決定し、設定条件テーブルにおける条件要素を自動更新する。ここで、スケジュール情報の取得に関して、上述の実施形態ではスケジュール登録端末１２を経由して、スケジュール情報を予め格納したスケジュール記憶部１２１内の情報を取得して抽出する例を説明したが、利用者側移動端末１１がスケジュール情報を保持していてもよい。
【００７０】
また、図８に示すように、条件要素の組合せについて優先順位を設けて対応するように定義された設定動作は、着信、音声自動応答、転送、留守番電話、及び着信拒否のうちの少なくとも１つ以上を含む。例えば、移動速度の算出及び比較によって、当該利用者が新幹線に乗っているのか否か（２６０ｋｍ／ｈ以上）、固定位置、徒歩又は電車に乗っているのか否か（１０ｋｍ／ｈ以下）等、利用者のプレゼンスの推定に役立つ。
【産業上の利用可能性】
【００７１】
本発明によれば、利用者の現在位置や予定位置（緯度、経度）、利用者が移動中の場合の移動速度、利用者が設定する現在日時や予定日時、利用者が通話制限等の設定を行う発信者番号の情報などの利用者の現在状況や予定状況に応じて自動的にＰＢＸを設定し、発呼に対するＰＢＸの動作（着信、転送、自動応答、留守電等）を適応的に行うことが可能となるので、オフィス内またはネットワーク上に設置された構内交換機に有用である。
【符号の説明】
【００７２】
１１  利用者側通信端末
１２  スケジュール登録端末
２０  自動設定機能付き構内交換機
３０  発信者側通信端末
２０１，２０２  通信ＩＦ
２０３  制御部
２０４  交換部
２０５  位置情報記憶部
２０６  設定条件記憶部
２０７  電話番号記憶部
２０８  動作設定記憶部
２０３０  プレゼンス情報生成部
２０３１  移動端末位置情報取得部
２０３２  移動端末移動速度算出部
２０３３  位置情報生成部
２０３４  スケジュール情報取得部
２０４０  設定条件生成部
２０４１  発信者番号照合部
２０４２  動作制御部
２０５０  応答制御部
２０５１  発呼受信部
２０５２  発信者番号照合部
２０５３  設定条件判断部
２０５４  動作指示部
２０６０  設定条件判断部
【図１】
0005591722.tif 000002
【図２】
0005591722.tif 000003
【図３】
0005591722.tif 000004
【図４】
0005591722.tif 000005
【図５】
0005591722.tif 000006
【図６】
0005591722.tif 000007
【図７】
0005591722.tif 000008
【図８】
0005591722.tif 000009